(57)【要約】   【課題】      前傾及び体側への傾き、骨盤の前すべり防止のための圧迫感、窮屈感の少ない装着が簡単な座位保持用ベルトを設け、多種の車椅子や椅子にも適用できる座位保持用補助帯を提供する。  【解決手段】  胴部に巻きつける胸部ベルト１と骨盤付近に巻きつける骨盤ベルト２に背骨の左右に位置して取り付けた支柱部材３を備え、胸部ベルトと骨盤ベルトの背部及び椅子に面ファスナー４を設け、胸部ベルト１で前傾を、骨盤ベルト２で骨盤の前滑りを、支柱部材３で体側への傾きを防止し、座位保持困難な障害者（児）や高齢者等の座位保持をし、尚且つ装着が簡単で介護者の容易に操作ができるのを可能とする。  【選択図】  図５
0003127583.tif 000002
【実用新案登録請求の範囲】
【請求項１】
肋骨下部付近に巻回して端部同士を互いに固定できる胸部ベルトと、骨盤上部付近に巻回して端部同士を互いに固定できる骨盤ベルトと、上端部を前記胸部ベルトに、下端部を前記骨盤ベルトにそれぞれ固定できる高さ調節自在な縦方向の支柱部材とを備え、前記胸部ベルトと前記骨盤ベルトの背部中央とその前記胸部ベルトと前記骨盤ベルトが接触する椅子の背もたれ部分とが取り外し可能な固定部材を設けた座位保持用補助帯。
【請求項２】
胸部ベルトと骨盤ベルトは伸縮性を有する布で作られているおり、支柱部材は、合成樹脂製の板材からなる心材を備えられている請求項１に記載の座位保持用補助帯。
【請求項３】
胸部ベルトの端部同士を固定するための固定手段、骨盤ベルトの端部同士を固定するための固定手段、骨盤ベルトと胸部ベルトに対し支柱部材を固定するための固定手段、胸部ベルトと骨盤ベルトの背部中央部と胸部ベルトと骨盤ベルトが接触する椅子の背もたれ部分との固定手段に面ファスナーが設けられている請求項１又は２に記載の座位保持用補助帯。
【考案の詳細な説明】
【技術分野】
【０００１】
本考案は、障害者（児）や高齢者等で座位保持が困難な者が前傾・体側への傾きやずり落ちを防止するものであって、装着が簡単で介護者の操作が容易な座位保持用補助帯に関するものである。
【背景技術】
【０００２】
胸部座位保持用抑制帯（特許文献１）のような座位保持用補助帯の類は実用に供されている。
実用の座位保持帯は前傾防止する目的であって、体側への傾きやずり落ちを防止することはできても骨盤を固定するものではなく、骨盤が前方に滑るのを防止するものではない。前傾を防止するための胸当てがあり上体の圧迫感や窮屈感があり、圧迫感や窮屈感を軽減しょうとするために調節止め具を緩めると、骨盤が前方へ滑り股部が胸当て帯の下部で圧迫され、長時間使用できないという欠点があった。
【０００３】
止めひもを車椅子の背面に結びつけて使用するため、車椅子装着時にしか使用することが出来ないという不便があった。また、止め具が背部にあるため、介助者の援助が必要である。そのため、装着した障害者（児）や高齢者等が自ら着脱ができないため、身体抑制となって人権侵害となってしまう恐れがあるという問題があった。
【特許文献１】特開２００１−４６４３９
【考案の開示】
【考案が解決しようとする課題】
【０００４】
解決しようとする問題点は、前傾だけでなく体側への傾きを防止でき、骨盤を車椅子だけでなく椅子等の座面に固定させてずり落ちを防止させ、尚且つ、着脱が簡単で障害者（児）や高齢者等が自ら装着が可能なものであり、圧迫感や窮屈感を与えない座位保持用補助帯を提供しようとするものである。
【課題を解決するための手段】
【０００５】
本考案は、胴部に巻きつける胸部ベルトと骨盤付近に巻きつける骨盤ベルトに背骨の左右に位置して取り付けた支柱部材を備え、胸部ベルトと骨盤ベルトの背部と座るための椅子もしくは、車椅子の背もたれに密着固定させて使用するものである。
【０００６】
胸部ベルトと骨盤ベルトは伸縮性を有する布で作られているものである。前記支柱部材は合成樹脂製の板材からなる芯材を備えてある。骨盤ベルトの端部同士と胸部ベルトの端部同士を固定するための固定手段、および骨盤ベルトと胸部ベルトに対し支柱部材を固定するための固定手段として、面ファスナーを利用するものである。また、胸部ベルトと骨盤ベルトの背部と座るための椅子の背もたれに密着固定させる手段として面ファスナーを使用するものである。
【考案の効果】
【０００７】
本考案による座位保持用補助帯は骨盤部と肋骨部の間の脊椎を胸部ベルトと骨盤ベルトと支柱部材で脊椎を支えることによって、前傾や体側への傾きを防止することができる。骨盤部分を骨盤ベルトで椅子に固定しているので、骨盤が前方へ滑ることがなく座位を保持することができる。両ベルトの間には比較的大きな隙間があり肩に被うものがないので、通気性が良好で、装着する障害者（児）や高齢者等に不必要な窮屈間や圧迫感を与えずにすみ、長時間使用することができる。背面が椅子等に面ファスナーで固定されているため、座位保持用補助帯を体に巻きつけたまま椅子から外れて移動したり、他の椅子に座ることもできる。また、両ベルトの端部を面ファスナーで固定しているので、だれでも簡単に装着・着脱できる。
【考案を実施するための最良の形態】
【０００８】
胸部ベルトと骨盤ベルトとその間に設けられた支柱部材の備わった座位保持用補助帯で体幹を両側及び、前後から支え、座位保持用補助帯を装着して座る椅子に密着させることで、前傾や体側への傾き、骨盤の前方滑りを防止し、座位保持用補助帯を装着したまま椅子から離れて移動できるようにした。    
【実施例】
【０００９】
図１〜５は本考案装置の実施例の説明図であって、その内図１は座位保持用補助帯の人体への装着方法を示した。１は胸部ベルト、２は骨盤ベルト、３は支柱部材である。図３は座位保持用補助帯を装着して座る椅子である。
【００１０】
軟らかい布製の胸部ベルト１と骨盤ベルト２は人体の胴部に巻きつけて面ファスナーで締め具合を調整しながら装着する。支柱部材３は合成樹脂製で背骨を両側から支えるものであるため、強い負荷に耐えられる部材ですぐに曲がらないものである。支柱部材３の上下に面ファスナーを施し、胸部ベルト１と骨盤ベルト２の左右に支柱部材３を取り付けてあり、胴体の高さに合わせて胸部ベルト１と骨盤ベルト２の間隔を調整することができる。
【００１１】
図２のように胸部ベルト１と骨盤ベルト２の中央（背部）に強力は面ファスナー４ａ、４ｂを取り付け、図３の座位保持用補助帯を装着して座る椅子には、胸部ベルト１と骨盤ベルト２に取り付けられた面ファスナー４a、４bが接触する位置に面ファスナー４c、４dが両面テープなどで取り付け、図５のように面ファスナー４aと４c、４bと４dを密着させる。椅子から離れる場合は、面ファスナー４aと４c、４bと４dを取り外し、図４のように人体の胴部に胸部ベルト１と骨盤ベルト２を巻きつけ支柱部材３を取り付けたままで移動することができる。その場合、胴体を固定し傾きを防止しているので、安定した移動が可能である。また、椅子に座った状態で胸部ベルト１と骨盤ベルト２の面ファスナーを取り外すと、人体は座位保持用補助帯から開放されるので、障害者（児）や高齢者等は容易にそれができる。
【００１２】
図３の椅子は、車椅子や障害者移送用福祉車輌の昇降式座席に応用することができる。また、障害者（児）によっては、体格に合わせた車椅子への装着も可能である。その場合の図３の４cと４dの部分は車椅子や昇降式座席本体へ丈夫な糸で縫合すると有効である。
【００１３】
圧迫感や窮屈感が少ないため、座位保持用補助帯を装着したままで椅子から離れたり座ったりすることができるので、図３のような面ファスナーが備えられた椅子で座位をとる動作や、その介助が簡単である。
【産業上の利用可能性】
【００１４】
本考案に係る座位保持用補助帯は、障害者（児）や高齢者等の安全性や生活の質の向上、如いては介護者の負担軽減を図ることが出来る。また、布、合成樹脂等を利用して工業生産的に製作することができ、医療・福祉産業の分野で広範囲な用途が期待できる。
【図面の簡単な説明】
【００１５】
【図１】座位保持用補助帯を人体へ装着し、椅子に座った状態を示した正面図である。
【図２】本考案の座位保持用補助帯の展開状態を示す展開図である。
【図３】座位保持用補助帯を装着して座る椅子を示す正面図である。
【図４】座位保持用補助帯を人体へ装着し、椅子から離れた状態を示した正面図である。
【図５】座位保持用補助帯を人体へ装着し、椅子に座った状態を示した側面図である。
【符号の説明】
【００１６】
１    胸部ベルト
２    骨盤ベルト
３    支柱部材
４    面ファスナー（固定手段）
【図１】
0003127583.tif 000003
【図２】
0003127583.tif 000004
【図３】
0003127583.tif 000005
【図４】
0003127583.tif 000006
【図５】
0003127583.tif 000007